(57)【要約】      （修正有）【課題】コネクタから引き出される電線を、簡単かつ確実に一方向に配向させることができるコネクタユニットを提供する。【解決手段】コネクタ２０と、コネクタ２０に嵌合するコネクタカバー１０とを含むコネクタユニット３０において、コネクタ２０が、電線２３を一方向に誘導するガイド手段２４を備えるとともに、コネクタカバー１０が、ガイド手段２４を押圧して変形させることにより、ガイド手段２４により誘導された電線２３の動きを規制する押圧手段１２を備え、それにより、コネクタ２０から引き出される電線２３を、ガイド手段２４により誘導された一方向に配向させる。【選択図】図１
2015103317.tif 000002
【特許請求の範囲】
【請求項１】
電気的接続を行うためのコネクタと、前記コネクタに嵌合し、前記コネクタから引き出される電線を保護するコネクタカバーとを含むコネクタユニットにおいて、
前記コネクタは、前記コネクタから引き出される電線を一方向に誘導するガイド手段を備え、
前記コネクタカバーは、前記ガイド手段を押圧して変形させることにより、前記ガイド手段により誘導された電線の動きを規制する押圧手段を備えることを特徴とするコネクタユニット。
【請求項２】
前記ガイド手段は、前記コネクタにおける電線が引き出される面から略Ｌ字状に突出するものであることを特徴とする請求項１に記載のコネクタユニット。
【請求項３】
前記コネクタは、複数の前記ガイド手段を備え、
各ガイド手段は、前記コネクタから引き出される電線を互いに異なる方向に誘導するものであることを特徴とする請求項１又は２に記載のコネクタユニット。
【請求項４】
前記コネクタカバーは、電線を一方向に貫通させるための空間部を更に備えることを特徴とする請求項１〜３のいずれか一項に記載のコネクタユニット。
【発明の詳細な説明】
【技術分野】
【０００１】
本発明は、コネクタと、当該コネクタに嵌合し、コネクタから引き出される電線を保護するコネクタカバーとを含むコネクタユニットに関する。
【背景技術】
【０００２】
従来から、電子機器と電線との電気的接続のためにコネクタが用いられてきているが、コネクタが適用される分野によっては、コネクタから引き出された電線を保護するとともに、電線の絡まりや、電子機器を格納するケースに電線が挟まれることを防止するために、コネクタに嵌合するコネクタカバーを付加し、当該コネクタカバーにより、電線を保護するとともに電線を一方向へ配向させることが行われている。
そのような一例として、車両用のギアボックスに用いられるコネクタについて、図７を用いて説明する。
【０００３】
図７において、７０はギアボックス、６０は当該ギアボックス７０のケースであり、ケース６０の中に、図示しないギアを変速させるための複数のソレノイド５０が設置されており、各ソレノイド５０には雄型の機器側コネクタ４０が設けられている。
一方、機器側コネクタ４０と嵌合する雌型のコネクタ２０には、外部からの駆動信号を伝達するための電線２３が接続され、上記雄雌両コネクタを結合させることにより、外部から各ソレノイド５０に駆動信号を伝達している。
【０００４】
ここにおいて、電線２３が接続される雌型のコネクタ２０に注目すると、各コネクタ２０には、コネクタ２０から引き出された電線２３を保護するとともに、電線２３を一方向（配索方向）に配向させるために、コネクタカバー１０が嵌合されており（以下、当該コネクタカバー１０とコネクタ２０とをまとめて、「コネクタユニット３０」という。）、それにより、各コネクタ２０から引き出された電線２３が絡まったり、ねじ穴６１を用いて図示しないカバーをケース６０に取り付けてギアボックス７０を密封する際に、電線２３がケース６０とカバーとに挟まれたりすることを防止している。
コネクタカバー１０としては、例えば、下記特許文献１に記載されたようなものが用いられる。
【先行技術文献】
【特許文献】
【０００５】
【特許文献１】特開２０１３−１０５５２４号公報
【発明の概要】
【発明が解決しようとする課題】
【０００６】
しかしながら、一般に、コネクタから引き出される電線は、コネクタから真っ直ぐに（コネクタにおける電線が引き出される面と略垂直に）延びているため、従来のコネクタユニットは、引き出された電線を一方向に配向させようとしても、きれいに向きを揃えることが容易でないという問題点があった。また、従来のコネクタユニットは、引き出された電線を一方向に配向させようとして電線を引っ張る等、何らかの原因で電線に力が加えられた場合に、コネクタと電線との接続部分に直接力が伝わり、コネクタ内の端子の変形、破壊や接続不良等を招くおそれがあるという問題点があった。
【０００７】
そこで、本発明は、従来のコネクタユニットが有していた上記の問題点に鑑みてなされたものであり、コネクタから引き出された電線を簡単に一方向に配向させることを技術課題とするものである。
また、本発明は、電線に力が加えられた場合にも、コネクタ内の端子の変形、破壊や接続不良等が起こりにくく、信頼性の高いコネクタユニットを提供することを技術課題とするものである。
さらに、本発明は、低コストで汎用性の高いコネクタユニットを実現することを技術課題とするものである。
【課題を解決するための手段】
【０００８】
本発明に係る上記の課題は、下記の構成により解決される。
（１）電気的接続を行うためのコネクタと、前記コネクタに嵌合し、前記コネクタから引き出される電線を保護するコネクタカバーとを含むコネクタユニットにおいて、
前記コネクタは、前記コネクタから引き出される電線を一方向に誘導するガイド手段を備え、
前記コネクタカバーは、前記ガイド手段を押圧して変形させることにより、前記ガイド手段により誘導された電線の動きを規制する押圧手段を備えることを特徴とするコネクタユニット。
（２）前記ガイド手段は、前記コネクタにおける電線が引き出される面から略Ｌ字状に突出するものであることを特徴とする上記（１）に記載のコネクタユニット。
（３）前記コネクタは、複数の前記ガイド手段を備え、
各ガイド手段は、前記コネクタから引き出される電線を互いに異なる方向に誘導するものであることを特徴とする上記（１）又は（２）に記載のコネクタユニット。
（４）前記コネクタカバーは、電線を一方向に貫通させるための空間部を更に備えることを特徴とする上記（１）〜（３）のいずれかに記載のコネクタユニット。
【発明の効果】
【０００９】
上記（１）の構成のコネクタユニットによれば、コネクタから引き出される電線を保護できることはもちろん、当該電線を簡単かつ確実に一方向に配向させることができる。
したがって、上記（１）の構成のコネクタユニットを用いることにより、電子機器にコネクタを接続する際の作業性を向上できるとともに、電線が絡まったり、ケースに挟まれたりすることを簡単かつ確実に防止することができる。
また、上記（１）の構成のコネクタによれば、電線に加えられた力が、ガイド手段により緩和されるため、コネクタ内の端子の変形、破壊や接続不良等が起こりにくく、より信頼性の高いコネクタユニットを実現することができる。
【００１０】
また、上記（２）の構成のコネクタユニットによれば、電線を誘導するガイド手段を、コネクタにおける電線が引き出される面から略Ｌ字状に突出する構造としたため、簡単な構造で確実に電線を一方向に誘導することができる。また、そのようなガイド手段は、コネクタと容易に一体成形することができ、低コストでガイド手段を備えたコネクタユニットを製造することができる。
【００１１】
また、上記（３）の構成のコネクタユニットによれば、前記ガイド手段を複数備え、各ガイド手段は、コネクタから引き出される電線を互いに異なる方向に誘導する構造としたため、用途に応じて種々の方向に電線を配向させることができ、汎用性の高いコネクタユニットを実現できる。
【００１２】
さらに、上記（４）の構成のコネクタユニットによれば、コネクタカバーが、電線を一方向に貫通させるための空間部を備えているため、例えば、複数のコネクタから引き出された電線をまとめて外部に導出する際に、他コネクタから引き出された電線が、自コネクタカバー内の空間部を一方向に貫通する構成とすることにより、自コネクタからの電線と他コネクタからの電線とを合わせて、簡単かつ確実に、一方向にきれいに向きを揃えることができる。
【００１３】
以上、本発明について簡潔に説明した。さらに、以下に説明される発明を実施するための形態（以下「実施形態」という。）を添付の図面を参照して通読することにより、本発明の詳細は更に明確化されるであろう。
【図面の簡単な説明】
【００１４】
【図１】本発明の実施形態に係るコネクタユニットの斜視図である。
【図２】本発明の実施形態に係るコネクタユニットにおけるコネクタカバー取り付け前の状態を示す図である。
【図３】本発明の実施形態に係るコネクタユニットにおけるコネクタカバー取り付け後の状態を示す図である。
【図４】本発明の実施形態に係るコネクタユニットを複数一列に並べ、電線を配索した状態を示す上面図である。
【図５】図４の一部分を拡大した斜視図である。
【図６】本発明の実施形態に係るコネクタユニットにおけるコネクタにおいて、異なる方向に電線を配向させる場合を示す斜視図である。
【図７】従来技術に係る複数のコネクタから電線を引き出している車両用のギアボックスを示す上面図である。
【発明を実施するための形態】
【００１５】
以下、本発明の実施形態を、図面を参照して説明する。
図１は、本発明の実施形態に係るコネクタユニットの斜視図である。
図１において、２０は雌型のコネクタであり、１０はコネクタカバーである。コネクタカバー１０は、コネクタ２０における電線２３が引き出される面（以下「背面」という。）２５側に、背面突起２１と係止孔１１とを用いて嵌合される構造となっている。このコネクタ２０とコネクタカバー１０とにより、本実施形態のコネクタユニット３０が構成されている。
【００１６】
４０は、雄型の機器側コネクタであり、本実施形態においては、機器側コネクタ４０は図示しない電子機器に設置され、機器側コネクタ４０内の電極が電子機器からの電線に接続されている。
コネクタ２０と機器側コネクタ４０とは、コネクタ２０に設けられた上面突起２２と機器側コネクタ４０に設けられた係止部材４１とが係合することにより結合され、各コネクタ内に設けられた対応する端子同士が電気的に接続される。
【００１７】
コネクタ２０の背面２５からは、電線２３が引き出されており、本実施形態においては、２本の電線が引き出されている。２４は、コネクタ２０から引き出された電線２３を一方向に誘導するためのガイド手段であり、本実施形態では、ガイド手段２４は、コネクタカバー１０を取り付ける前の状態において、図２（ａ）の２４−１及び２４−２に示すように、コネクタ２０の背面２５における左右の下部から上方に向けて略Ｌ字状に突出する形状となっている。このガイド手段２４は、樹脂製でコネクタと一体に成形され、柔軟性を有している。また、本実施形態においては、両ガイド手段のうちの２４−１は、電線２３を背面２５から見て左側に誘導するものであり、２４−２は、電線２３を右側に誘導するものである。
【００１８】
図２（ａ）では、コネクタ２０から引き出される２本の電線２３の両方が、ガイド手段２４−１により左側に誘導されており、ガイド手段２４−２は利用されていないが、状況に応じて、ガイド手段２４−２のみを利用して２本の電線の両方を右側に誘導する構成、あるいは、一方の電線をガイド手段２４−１により左側に誘導し、他方の電線をガイド手段２４−２により右側に誘導する構成を採用してもよい。
【００１９】
コネクタカバー１０には、その底面１５から、略平板状の押圧手段１２が前面に向かって設けられているとともに、当該押圧手段１２の両側に、コネクタカバー１０が嵌合されるコネクタ２０から引き出される電線２３以外の電線を一方向に貫通させることができる空間部１３が設けられている。
【００２０】
そして、本実施形態においては、図３（ａ）及び（ｂ）に示すように（図３（ａ）においては、ガイド手段２４の様子を分かりやすく示すため、コネクタカバー１０は記載していない。）、コネクタカバー１０をコネクタ２０に嵌合すると、押圧手段１２がガイド手段２４を押圧することにより、ガイド手段２４が変形し、変形したガイド手段２４及びコネクタ２０の背面２５に、ガイド手段２４により誘導された電線２３が挟まれ、電線２３の動きが規制される構成となっている。
【００２１】
なお、図３（ａ）では、２本のガイド手段２４のうち、２４−１のみを利用して、２本の電線２３を背面２５から見て左側に配向させているが、２４−２のみを利用して、２本の電線２３を右側に配向させてもよく、また、図６のように２本のガイド手段２４の各々を利用し、ガイド手段２４−１により電線２３−Ｌを左側に配向させ、ガイド手段２４−２により電線２３−Ｒを右側に配向させてもよい。
【００２２】
図２を見れば分かるように、コネクタカバー１０の嵌合前においては、コネクタ２０の背面２５に設けられたガイド手段２４は、単に引き出された電線２３を一方向に誘導しているにすぎず、電線２３は自由に動くことができ、電線２３に外力が加わる等、何らかの原因で電線２３がガイド手段２４の上端よりも上にずれれば、電線２３がガイド手段２４を乗り越えてしまい、もはや電線２３は一方向に向わなくなる（コネクタ２０の背面２５と略垂直の方向に向かうようになる。）。
それに対して、図３のように、コネクタカバー１０を嵌合すると、電線２３が、押圧手段１２により変形されたガイド手段２４とコネクタ２０の背面２５に挟まれて動きが規制され、上にずれることがなくなるため、電線２３に外力が加わっても、コネクタ２０から引き出された電線２３を、ずれることなく一方向に配向させることができる。
【００２３】
ここにおいて、電線２３の動きをどの程度規制するかは、適用される機器等に応じて適宜選択すればよく、具体的には、電線２３が変形されたガイド手段２４とコネクタ２０の背面２５により強く締め付けられている状態、当該電線２３が変形されたガイド手段２４とコネクタ２０の背面２５によりゆるく締められている状態、あるいは、電線２３にガイド手段２４及びコネクタ２０の背面２５が触れている程度の状態のいずれかを適宜選択することができる。
【００２４】
そのような構成とすることにより、コネクタ２０にコネクタカバー１０を取り付けた状態では、コネクタ２０から引き出される電線２３の方向がずれることなく定まり、電線２３を確実に一方向に配向させることができる。
【００２５】
また、コネクタ２０にコネクタカバー１０を取り付けた後に、何らかの原因で電線２３に外力が加わった場合には、変形されたガイド手段２４により、従来のものと比較してコネクタと電線との接続部分に加わる力が緩和され、コネクタ内の端子の変形、破壊や接続不良等を防止することができる。このような外力の緩和効果は、電線２３が変形されたガイド手段２４及びコネクタ２０の背面２５により固く締め付けられている場合はもちろん、電線２３にガイド手段２４及びコネクタ２０の背面２５が触れている程度の状態であっても期待することができ、電線２３に力が加わった場合に、電線２３とガイド手段２４又はコネクタ２０の背面２５との間に生ずる摩擦力により、コネクタ２０と電線２３との接続部分にかかる力を緩和することができる。
【００２６】
次に、本実施形態に係るコネクタユニットを複数利用して、多数の電線を一方向にまとめて配索した例を図４及び５に示す。
図４は、複数の本実施形態に係るコネクタユニット３０−１〜３０−６を横に並べ、各コネクタからの電線をまとめて外部に導出する様子を示した図であり、図５は、図４のうちのコネクタユニット３０−２及び３０−３の部分を拡大したものである。
【００２７】
初めに、図４を参照して、左端のコネクタユニット３０−１について説明する。
まず、当該コネクタユニット３０−１におけるコネクタ２０−１にコネクタカバー１０−１を嵌合させる前に、図２のように、コネクタ２０−１に設けられたガイド手段２４（図示せず）を利用して、コネクタ２０−１から引き出される電線２３−１が一方向（コネクタユニット３０−２の方向）を向くように誘導しておく。
次いで、図３のように、コネクタ２０−１にコネクタカバー１０−１を嵌合させ、押圧手段１２によりガイド手段２４を押圧し変形させ、電線２３−１の動きを規制することにより、当該電線２３を、外力が加わってもずれないように一方向に配向させて、コネクタユニット３０−１についての作業を終了する。
【００２８】
次に、図４及び５を参照して、左から２番目のコネクタユニット３０−２について説明する。
まず、上に述べたコネクタユニット３０−１の場合と同様に、コネクタユニット３０−２におけるコネクタ２０−２にコネクタカバー１０−２を嵌合させる前に、コネクタ２０−２に設けられたガイド手段２４（図示せず）を利用して、コネクタ２０−２から引き出される電線２３−２が一方向（コネクタユニット３０−３の方向）を向くように誘導しておく。
また、それと併せて、コネクタユニット３０−１からの電線２３−１を、コネクタカバー１０−２における間隙部（図１の１４で示された部分）を介して空間部（図１の１３で示された部分）に位置させ、電線２３−１が当該空間部を貫通するようにする。
【００２９】
上記の状態で、コネクタカバー１０−２をコネクタ２０−２に嵌合させて押圧手段１２によりガイド手段２４を押圧し変形させ、自コネクタからの電線２３−２の動きを規制するとともに、コネクタユニット３０−１からの電線２３−１が、空間部１３の外に移動しないようにすることにより、自コネクタからの電線２３−２を、外力が加わってもずれないように一方向に配向させるとともに、他コネクタからの電線２３−１が、外力が加わっても空間部１３内にとどまって当該空間部１３を一方向に貫通するようにして、コネクタユニット３０−２についての作業を終了する。
【００３０】
次に、左から３番目のコネクタユニット３０−３について説明するが、これは、上に述べたコネクタユニット３０−２の場合と基本的に同様である。
すなわち、まず、コネクタユニット３０−３におけるコネクタ２０−３にコネクタカバー１０−３を嵌合させる前に、コネクタ２０−３に設けられたガイド手段２４（図示せず）を利用して、コネクタ２０−３から引き出される電線２３−３が一方向（コネクタユニット３０−４の方向）を向くように誘導しておく。
また、それと併せて、コネクタユニット３０−２からの電線２３−２と、コネクタユニット３０−１からコネクタユニット３０−２を介して延在する電線２３−１とを合わせて、コネクタカバー１０−３における間隙部（図１の１４で示された部分）を介して空間部（図１の１３で示された部分）に位置させ、電線２３−１及び２３−２が当該空間部を貫通するようにする。
【００３１】
上記の状態で、コネクタカバー１０−３をコネクタ２０−３に嵌合させて押圧手段１２によりガイド手段２４を押圧し変形させ、自コネクタからの電線２３−３の動きを規制するとともに、コネクタユニット３０−１からの電線２３−１及びコネクタユニット３０−２からの電線２３−２が、空間部１３の外に移動しないようにすることにより、自コネクタからの電線２３−３を、外力が加わってもずれないように一方向に配向させるとともに、他コネクタからの電線２３−１及び２３−２が、外力が加わっても空間部１３内にとどまって当該空間部１３を一方向に貫通するようにして、コネクタユニット３０−３についての作業を終了する。
【００３２】
以上のような操作を、すべてのコネクタ２０及びコネクタカバー１０について実行することにより、図４に示すように、多数の電線２３を、簡単かつ確実に一方向にまとめて配索することができる。
なお、各コネクタユニットに対する作業は、左端のコネクタユニット３０−１から順番に行う必要はなく、任意の順に、又は同時に行うことができる。
【００３３】
次に、本実施形態の作用効果について説明する。
従来のコネクタユニットにおいては、電線がコネクタから真っ直ぐに（コネクタの背面と略垂直に）引き出されているため、引き出された電線を一方向に配向させようとしても、きれいに方向を揃えることは容易でなかった。
【００３４】
それに対して、本実施形態に係るコネクタユニット３０は、コネクタ２０が、コネクタ２０から引き出される電線２３を一方向に誘導するガイド手段２４を備えるとともに、コネクタカバー１０が、ガイド手段２４を押圧して変形させることにより、ガイド手段２４により誘導された電線２３の動きを規制する押圧手段１２を備える構成としたため、押圧手段１２によって変形されたガイド手段２４により、コネクタ２０から引き出される電線２３を簡単かつ確実に一方向に配向させることができる。
したがって、本実施形態に係るコネクタユニット３０は、電子機器にコネクタ２０を接続する際の作業性を向上できるとともに、電線２３が絡まったり、ケースに挟まれたりすることを簡単かつ確実に防止することができるという作用効果を奏する。
なお、コネクタカバー１０が、コネクタ２０から引き出される電線２３を保護するというコネクタカバー本来の作用効果を奏することは言うまでもない。
【００３５】
また、従来のコネクタユニットにおいては、電線に加えられた力が、直にコネクタと電線との接続部分に伝わるため、コネクタ内の端子の変形、破壊や接続不良等を招くおそれがあるという問題点があった。
それに対して、本実施形態に係るコネクタユニット３０は、電線２３に加えられた力が、ガイド手段２４により緩和されるため、コネクタ内の端子の変形、破壊や接続不良等が起こりにくく、より信頼性の高いコネクタユニットを実現できるという作用効果を奏する。
【００３６】
また、本実施形態に係るコネクタユニット３０は、ガイド手段２４をコネクタ２０の背面（コネクタ２０における電線が引き出される面）２５から略Ｌ字状に突出する構造としたため、簡単な構造で確実に電線を一方向に誘導できるとともに、ガイド手段２４をコネクタ２０と容易に一体成形することができ、低コストでガイド手段２４を備えたコネクタユニット３０を製造することができるという作用効果を奏する。
【００３７】
また、本実施形態に係るコネクタユニット３０は、異なる方向に電線２３を誘導する複数のガイド手段２４−１及び２４−２を備えているので、そのうちの任意の一方又は両方を用いることで、電線２３を左方向、右方向、又は両方向に誘導することができる。
したがって、本実施形態に係るコネクタユニット３０は、用途に応じて所望の方向に電線を配向させることができるので、様々な用途に柔軟に対応でき、汎用性の高いコネクタユニットを実現できるという作用効果を奏する。
【００３８】
また、本実施形態に係るコネクタユニット３０は、コネクタカバー１０が、電線を貫通することができる空間部１３を備えているので、他のコネクタユニットからの電線が当該空間部１３を貫通する構成とすることにより、自コネクタからの電線と他コネクタからの電線とを合わせて、簡単かつ確実に、一方向にきれいに向きを揃えることができる。
したがって、本実施形態に係るコネクタユニット３０を用いることにより、多数のコネクタから引き出される多数の電線を簡単かつ確実に、きれいにまとめて一方向に配索することができるという作用効果を奏する。
【００３９】
さらに、空間部１３は、平板状の押圧手段１２により、貫通方向からみて２つの部分に仕切られているので、押圧手段１２がない場合に比べて、他のコネクタユニットからの電線の空間部１３内での可動範囲が制限され、電線をよりきれいにまとめて配索することができる。
【００４０】
なお、本実施形態においては、ガイド手段２４を、コネクタ２０の背面２５から略Ｌ字状に突出する構造としたが、ガイド手段の構造はそれに限られることなく、Ｊ字型やＴ字型等、コネクタの背面から引き出される電線を一定の方向に誘導できるような構造のものであればどのようなものでもかまわない。また、本実施形態においては、ガイド手段２４は樹脂製で、コネクタ２０と一体に成形するようにしたが、それに限られることなく、例えば、ガイド手段をコネクタと別部材として製作し、コネクタに取り付けるようにしてもよい。その際、材質は押圧手段により変形可能であれば樹脂製でなくともかまわないことはもちろんである。
【００４１】
また、本実施形態においては、コネクタ２０から電線が２本引き出されているが、コネクタから１本あるいは３本以上の電線が引き出されるものであってもよい。また、本実施形態においては、コネクタ２０を雌型としたが、雄型のコネクタについても本発明を適用できることは明らかである。また、本実施形態においては、ガイド手段２４がコネクタ２０の背面２５に２個設けられているが、配索方向が１方向に決まっていれば１個だけ設けてもよく、逆に２方向のみならず、他の方向にも配索する可能性があるのであれば、３個以上設けてもよい。
また、本実施形態においては、押圧手段１２が、コネクタカバー１０の底面１５から前面に向かって延在する略平板状の形状としたが、それに限られることなく、コネクタカバーをコネクタに嵌合させた際に、ガイド手段を押圧・変形して、ガイド手段により誘導された電線の動きを規制できるものであれば、押圧手段はどのようなものであってもよい。
【００４２】
ここで、上述した本発明に係るコネクタユニットの特徴をそれぞれ以下に簡潔に纏めて列記する。
（１）電気的接続を行うためのコネクタと、前記コネクタに嵌合し、前記コネクタから引き出される電線を保護するコネクタカバーとを含むコネクタユニットにおいて、
前記コネクタは、前記コネクタから引き出される電線を一方向に誘導するガイド手段を備え、
前記コネクタカバーは、前記ガイド手段を押圧して変形させることにより、前記ガイド手段により誘導された電線の動きを規制する押圧手段を備えることを特徴とするコネクタユニット。
（２）前記ガイド手段は、前記コネクタにおける電線が引き出される面から略Ｌ字状に突出するものであることを特徴とする上記（１）に記載のコネクタユニット。
（３）前記コネクタは、複数の前記ガイド手段を備え、
各ガイド手段は、前記コネクタから引き出される電線を互いに異なる方向に誘導するものであることを特徴とする上記（１）又は（２）に記載のコネクタユニット。
（４）前記コネクタカバーは、電線を一方向に貫通させるための空間部を更に備えることを特徴とする上記（１）〜（３）のいずれかに記載のコネクタユニット。
【００４３】
以上、本発明の実施形態について図面を用いて詳述してきたが、上記実施形態は単なる例示にすぎないものであり、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００４４】
１０…コネクタカバー
１１…係止孔
１２…押圧手段
１３…空間部
１４…間隙部
１５…底面
２０…コネクタ
２１…背面突起
２２…上面突起
２３…電線
２４…ガイド手段
２５…背面
３０…コネクタユニット
４０…機器側コネクタ
４１…係止部材
【図１】
2015103317.tif 000003
【図２】
2015103317.tif 000004
【図３】
2015103317.tif 000005
【図４】
2015103317.tif 000006
【図５】
2015103317.tif 000007
【図６】
2015103317.tif 000008
【図７】
2015103317.tif 000009